(57)【要約】    ブロードキャスト・ルータを提供する。このブロードキャスト・ルータには、少なくとも１つの入力シャーシ（４０１）と少なくとも１つの出力シャーシ（４５０）とが含まれている。入力シャーシの各々には、複数の入力カード（４１０）と１つの拡張カード（４１５）とが含まれている。複数の入力カードは、ブロードキャスト・ルータに入力されるデータを最初に受信する。拡張カードは、ブロードキャスト・ルータに入力されたそれぞれのデータを受信する。拡張カードは、複数の入力カードからのそれぞれのデータを受信して、ブロードキャスト・ルータ内に於ける伝送用にデータを構成処理する。少なくとも１つの出力シャーシの各々には、マトリックス・カード（４６５）と複数の出力カード（４６０）とが含まれている。マトリックス・カードは、少なくとも１つの入力シャーシの全てからデータを受信して、複数の出力カードのうちの適切なものにデータをルーティングする。複数の出力カードは、それぞれ、マトリックス・カードからデータを受信して、ブロードキャスト・ルータ外にデータを出力する。少なくとも１つの入力シャーシの各々には上記複数の出力カードもその他の如何なる出力カードも含まれておらず、且つ、少なくとも１つの出力シャーシの各々には上記複数の入力カードもその他の如何なる入力カードも含まれていない。
2007503133.tif 000002
【特許請求の範囲】
【請求項１】
ブロードキャスト・ルータであって、
少なくとも１つの入力シャーシ（４０１）であり、この入力シャーシの各々には、前記ブロードキャスト・ルータに入力されるデータを最初に受信する複数の入力カード（４１０）と、前記複数の入力カードからのそれぞれのデータを受信して、これを、前記ブロードキャスト・ルータ内に於ける伝送用に、構成処理する拡張カード（４１５）とが含まれている前記少なくとも１つの入力シャーシと、
少なくとも１つの出力シャーシ（４５０）であり、この出力シャーシの各々には、マトリックス・カード（４６５）と複数の出力カード（４６０）とが含まれており、前記マトリックス・カードが、前記少なくとも１つの入力シャーシの全てからデータを受信して、前記複数の出力カードのうちの適切なものにデータをルーティングし、更に、前記複数の出力カードが、それぞれ、前記マトリックス・カードからデータを受信して、前記ブロードキャスト・ルータ外にデータを出力するように構成された前記少なくとも１つの出力シャーシと、
を含み、
前記少なくとも１つの入力シャーシの各々には前記複数の出力カードもその他の如何なる出力カードも含まれておらず、且つ、前記少なくとも１つの出力シャーシの各々には前記複数の入力カードもその他の如何なる入力カードも含まれていない、前記ブロードキャスト・ルータ。
【請求項２】
前記少なくとも１つの入力シャーシへの入力の数が、前記少なくとも１つの出力シャーシからの出力の数とは異なる、請求項１記載のブロードキャスト・ルータ。
【請求項３】
前記少なくとも１つの入力シャーシと前記少なくとも１つの出力シャーシの少なくとも一方に設けられており、サポート・プロトコルを提供して、データの入出力の割り当てを変更する制御カード（４９９）を更に含む、請求項１記載のブロードキャスト・ルータ。
【請求項４】
前記拡張カード（４１５）が、サポート・プロトコルを提供して、データの入出力の割り当てを変更する、請求項１記載のブロードキャスト・ルータ。
【請求項５】
前記マトリックス・カード（４６５）が、サポート・プロトコルを提供して、データの入出力の割り当てを変更する、請求項１記載のブロードキャスト・ルータ。
【請求項６】
前記複数の入力カード（４１０）が、データを、それが最初に受信された後に、条件付ける、請求項１記載のブロードキャスト・ルータ。
【請求項７】
前記拡張カード（４１５）が、時分割多重によりデータを構成処理する、請求項１記載のブロードキャスト・ルータ。
【請求項８】
データが前記ブロードキャスト・ルータ外に出力される前に、前記マトリックス・カード（４６５）がデータを条件付ける、請求項１記載のブロードキャスト・ルータ。
【請求項９】
ブロードキャスト・ルータであって、
少なくとも１つの入力シャーシ（４０１）であり、この入力シャーシの各々には、複数の入力カード（４１０）と１つの拡張カード（４１５）とが含まれており、前記複数の入力カードがデータを受信して条件付け、前記拡張カードが前記複数の入力カードからのそれぞれのデータを受信して、前記ブロードキャスト・ルータ内に於ける伝送用に時分割多重によってデータを構成処理するように構成された前記少なくとも１つの入力シャーシと、
少なくとも１つの出力シャーシ（４５０）であり、この出力シャーシの各々には、マトリックス・カード（４６５）と複数の出力カード（４６０）とが含まれており、前記マトリックス・カードが、前記少なくとも１つの入力シャーシの全てからデータを受信して、前記複数の出力カードのうちの適切なものにデータをルーティングし、更に、前記複数の出力カードが、それぞれ、前記マトリックス・カードからデータを受信して、前記ブロードキャスト・ルータ外にデータを出力するように構成された前記少なくとも１つの出力シャーシと、
前記少なくとも１つの入力シャーシと前記少なくとも１つの出力シャーシの少なくとも一方に設けられており、サポート・プロトコルを提供して、データの入出力の割り当てを変更する制御カード（４９９）と、
を含み、
前記少なくとも１つの入力シャーシへの入力の数が、前記少なくとも１つの出力シャーシからの出力の数とは異なり、
前記少なくとも１つの入力シャーシの各々には前記複数の出力カードもその他の如何なる出力カードも含まれておらず、且つ、前記少なくとも１つの出力シャーシの各々には前記複数の入力カードもその他の如何なる入力カードも含まれていない、前記ブロードキャスト・ルータ。
【請求項１０】
データが前記ブロードキャスト・ルータ外に出力される前に、前記マトリックス・カード（４６５）がデータを条件付ける、請求項９記載のブロードキャスト・ルータ。
【発明の詳細な説明】
【技術分野】
【０００１】
本発明は、一般に、ルータに関し、詳しくは、非対称構成用に最適化されたブロードキャスト・ルータ（ｂｒｏａｄｃａｓｔ  ｒｏｕｔｅｒ）に関する。
【背景技術】
【０００２】
ブロードキャスト・ルータは、複数入力のうちの任意の１つの入力の信号を、複数出力のうちの各１つの出力に割り当てることが出来る。例えば、Ｎ×Ｍブロードキャスト・ルータでは、Ｎ個の入力とＭ個の出力とがルーティング（経路指定）エンジンによって互いに接続可能であり、Ｎ個の入力のうちの任意の１つの入力の信号が、このルーティング・エンジンにより、Ｍ個の出力のうちの各１つの出力に供給可能となる。
【０００３】
従来の線形拡張可能なブロードキャスト・ルータの構成は、各シャーシに入力カードと出力カードの両方が含まれており、通常、シャーシ毎に保持される入力の数と出力の数とは同じに成るように設計されている。
【０００４】
しかし、場合によっては、入力と出力との比率が、通常の１対１の関係から掛け離れることがある。従って、非対称構成用に最適化されたブロードキャスト・ルータを提供することは、望ましく、且つ、非常に有益である。
【発明の開示】
【０００５】
(発明の概要)
上述の問題は、従来技術のその他の関連する問題と共に、本発明、即ち、非対称構成用に最適化されたブロードキャスト・ルータによって、解決される。
【０００６】
本発明の１つの形態に従って、ブロードキャスト・ルータが提供される。このブロードキャスト・ルータには、少なくとも１つの入力シャーシと少なくとも１つの出力シャーシとが含まれている。入力シャーシの各々には、複数の入力カードと１つの拡張カード（ｅｘｐａｎｓｉｏｎ  ｃａｒｄ）とが含まれている。複数の入力カードは、ブロードキャスト・ルータに入力されるデータを最初に受信する。拡張カードは、複数の入力カードからのそれぞれのデータを受信して、ブロードキャスト・ルータ内に於ける伝送用にデータを構成処理する。少なくとも１つの出力シャーシの各々には、マトリックス・カードと複数の出力カードとが含まれている。マトリックス・カードは、少なくとも１つの入力シャーシの全てからデータを受信して、複数の出力カードのうちの適切なものにデータをルーティングする。複数の出力カードは、それぞれ、マトリックス・カードからデータを受信して、ブロードキャスト・ルータ外にデータを出力する。少なくとも１つの入力シャーシの各々には上記複数の出力カードもその他の如何なる出力カードも含まれておらず、且つ、少なくとも１つの出力シャーシの各々には上記複数の入力カードもその他の如何なる入力カードも含まれていない。
【０００７】
本発明の別の形態に従って、ブロードキャスト・ルータが提供される。このブロードキャスト・ルータには、少なくとも１つの入力シャーシと、少なくとも１つの出力シャーシと、制御カードとが含まれている。入力シャーシの各々には、複数の入力カードと１つの拡張カードとが含まれている。複数の入力カードは、データを受信して条件付ける。拡張カードは、複数の入力カードからのそれぞれのデータを受信して、ブロードキャスト・ルータ内に於ける伝送用に時分割多重によってデータを構成処理する。出力シャーシの各々には、マトリックス・カードと複数の出力カードとが含まれている。マトリックス・カードは、少なくとも１つの入力シャーシの全てからデータを受信して、複数の出力カードのうちの適切なものにデータをルーティングする。複数の出力カードは、それぞれ、マトリックス・カードからデータを受信して、ブロードキャスト・ルータ外にデータを出力する。制御カードは、少なくとも１つの入力シャーシと少なくとも１つの出力シャーシの少なくとも一方に設けられており、サポート・プロトコルを提供して、データの入出力の割り当てを変更する。少なくとも１つの入力シャーシへの入力の数は、少なくとも１つの出力シャーシからの出力の数と異なる。少なくとも１つの入力シャーシの各々には上記複数の出力カードもその他の如何なる出力カードも含まれておらず、且つ、少なくとも１つの出力シャーシの各々には上記複数の入力カードもその他の如何なる入力カードも含まれていない。
【０００８】
本発明の各形態、各特徴、および、各利点は、添付図面について以下に詳しく説明する各推奨実施例から、明らかになるであろう。
【発明を実施するための最良の形態】
【０００９】
本発明は、非対称構成用に最適化されたブロードキャスト・ルータに向けられたものである。従って、本発明は、入力と出力との比率が通常の１対１の関係とは異なる場合に適用されると有利である。更に、本発明は、非常に大きなルータ（例えば、入力と出力が１０２４×１０２４より大きいルータ等）を構成する場合に、有益である。
【００１０】
尚、本発明に従うブロードキャスト・ルータは、例えば、ディジタル・オーディオ、ディジタル・ビデオ、シリアル／ＲＳ４２２データ・ストリーム、圧縮ビデオ・ストリーム等を含む（これらに限定されない）任意のタイプの信号について、使用できる。
【００１１】
本発明は、特に非対称構成（即ち、Ｎ≠Ｍ）に適しているが、それでも尚、対称構成用途にも使用でき、従って、任意の用途に適合する自由度が得られる。
【００１２】
また、本発明は、ハードウェア、ソフトウェア、ファームウェア、特定用途プロセッサ、或いは、これらを組み合わせたものの様々な形態で実施できるが、ハードウェアとソフトウェアの組み合わせとして実施されるのが望ましい。
【００１３】
更に、図面に示された各システム構成要素の一部は、ソフトウェアの形態で実施されるのが望ましいため、システム構成要素相互間（或いは、処理段階相互間）の実際の接続は、本発明がプログラムされる態様に従って、異なることがある。当業者であれば、ここに開示された各事項により、本発明の様々な実施形態または構成を考案できるであろう。
【００１４】
図１には、本発明の一実施例に従う線形拡張可能なブロードキャスト・ルータ４００が示されている。このブロードキャスト・ルータ４００には、３つの入力シャーシ４０１と２つの出力シャーシ４５０が含まれている。従って、図１のブロードキャスト・ルータ４００を、３つの入力シャーシと２つの出力シャーシについて、説明するが、本発明に従うブロードキャスト・ルータは、その入力シャーシと出力シャーシの各個数が幾らであっても、本発明の意図を維持できる。また、本発明に従う各複数の入力シャーシと出力シャーシの使用は、ブロードキャスト・ルータの線形拡張を考慮している。
【００１５】
入力シャーシ４０１の各々には、複数の入力カード（以下、単に「入力カード（ｉｎｐｕｔ  ｃａｒｄ）」という）４１０と１つの拡張カード４１５が含まれている。
【００１６】
入力カード４１０は、入力ストリームを受信して、ブロードキャスト・ルータ４００内に於ける伝送用に該入力ストリームを条件付ける（ｃｏｎｄｉｔｉｏｎ）。入力ストリームに対して行うべき信号条件付け処理のタイプは、条件付ける信号のタイプによって、異なる。例えば、使用可能な信号条件付け処理の一部のタイプは、復号化、再クロッキング（ｒｅ−ｃｌｏｃｋｉｎｇ）、振幅増幅等を含むが、これらに限定されるものではない。
【００１７】
拡張カード４１５は、入力カード４１０から各ストリームを受信して、これらのストリームを時分割多重化ストリームになるように構成処理して、これを各出力シャーシ４５０に伝送する。尚、本発明は、各ストリームの構成処理について、拡張カードによる時分割多重化に限定されるものではなく、その他のデータ構成処理方式を採用しても、本発明の精神を維持できる。
【００１８】
出力シャーシ４５０の各々には、複数の出力カード（以下、単に「出力カード（ｏｕｔｐｕｔ  ｃａｒｄ）」という）４６０と１つのマトリックス・カード４６５が含まれている。
【００１９】
マトリックス・カード４６５は、各入力シャーシ４０１から時分割多重化ストリームを受信して、その各ストリームを適切な出力カード４６０にルーティングする。
【００２０】
出力カード４６０は、マトリックス・カード４６５から各ストリームを受信し、各受信ストリームについて、ブロードキャスト・ルータ４００の各出力から送信するための前処理を行う。この各ストリームについての前処理には、例えば、信号条件付け、既定プロトコルの各パラメータの範囲内でのデータの交換（ｃｏｎｖｅｒｓａｔｉｏｎ）等が含まれる。
【００２１】
図１の実施例には、制御カード（ｃｏｎｔｒｏｌ  ｃａｒｄ）４９９が、出力シャーシ４５０について、示されている。尚、制御カードは、入力シャーシ４０１と出力シャーシ４５０の両方でも、或いは、何れか一方だけでも、使用可能である。
【００２２】
制御カード４９９は、入力シャーシ４０１（および／または出力シャーシ４５０）とのサポート・プロトコルをインタフェースして、ブロードキャスト・ルータ４００の入出力の割り当てを変更する。尚、制御カード４９９の各機能は、制御カード４９９が入力シャーシ４０１内と出力シャーシ４５０内の両方で実施されるか、或いは、一方だけで実施されるかに従って、それぞれ、オプションとして、拡張カード４１５とマトリックス・カード４６５の両方、或いは、一方だけに含ませて統合してもよい。
【００２３】
入力シャーシ４０１の各々に於いて、その各入力カード４１０は、一定数の入来入力ストリーム（以下、「データ」という）を受信して復号化し、拡張カード４１５に出力する。また、入力シャーシ４０１の各々について、その拡張カード４１５は、全ての入力カード４１０から全てのデータを受信して、そのデータを全ての出力シャーシ４５０に伝送する。
【００２４】
出力シャーシ４５０の各々に於いて、マトリックス・カード４６５は、全ての入力シャーシ４０１からデータを受信して、そのデータを各出力カード４６０にルーティングする。各出力カード４６０は、ブロードキャスト・ルータ４００に入力された対応入力ストリームを、ブロードキャスト・ルータ４００の各出力に於いて、再現する。
【００２５】
図２には、本発明の一実施例に従って、同数の入力と出力で構成されたブロードキャスト・ルータ構成２００が例示されている。また、図３には、本発明の別の一実施例に従って、入力の個数が出力に比べて多くなるように構成されたブロードキャスト・ルータ構成３００が例示されている。更に、図４には、本発明の更に別の一実施例に従って、出力の個数が入力に比べて多くなるように構成されたブロードキャスト・ルータ構成５００が例示されている。図２乃至図４に示された入力シャーシ４０１の各々には、入力カードおよび拡張カード（共に図示せず）と、オプションとして制御カードとが含まれているが、出力カードは含まれていない。また、図２乃至図４に示された出力シャーシ４５０の各々には、出力カードおよびマトリックス・カード（共に図示せず）と、オプションとして制御カードとが含まれているが、入力カードは含まれていない。
【００２６】
以上、各実施例を添付図面について説明したが、本発明は、これらの実施例そのものに限定されるものではなく、当業者であれば、本発明の精神とその範囲から逸脱することなく、その他の様々な変更および修正を加えることが出来るであろう。更に、そのような変更および修正の全ては、本願の特許請求の範囲の各請求項に規定された本発明の範囲内に含まれるものである。
【図面の簡単な説明】
【００２７】
【図１】図１は、本発明の一実施例に従う線形拡張可能なブロードキャスト・ルータ４００を例示する図である。
【図２】図２は、本発明の一実施例に従って同数の入力と出力で構成されたブロードキャスト・ルータ構成２００を例示する図である。
【図３】図３は、本発明の別の一実施例に従って入力の個数が出力に比べて多くなるように構成されたブロードキャスト・ルータ構成３００を例示する図である。
【図４】図４は、本発明の更に別の一実施例に従って出力の個数が入力に比べて多くなるように構成されたブロードキャスト・ルータ構成５００を例示する図である。
【図１】
2007503133.tif 000003
【図２】
2007503133.tif 000004
【図３】
2007503133.tif 000005
【図４】
2007503133.tif 000006
【国際調査報告】
2007503133.tif 000007